(57)【要約】      （修正有）【課題】パイプ状部材が支持部材の嵌合凹部に何度も抜き差しされても、パイプ状部材を、がたつきのない状態で安定して支持部材に支持固定することができるパイプ状部材の支持固定構造およびこの支持固定構造を備えた組立て家具を提供する。【解決手段】テーブルの天板部材１の嵌合凹部１１の底に、受部本体１２、ナット１４およびナット固定キャップ１３からなるねじ受部１６を設けるとともに、受部本体１２に一端が連設され、他端が嵌合凹部１１の内壁面との間に脚本体２１の壁の一部が嵌り込む隙間を形成するリブ１５ａを設け、蝶ねじ３の雄ねじ部３２をワッシャ４が切欠１１ａの周囲の嵌合凹部１１の外壁面に圧接されるまで、雌ねじ孔１４ａにねじ込んでリブ１５ａ，１５ａを撓みによって嵌合凹部１１の内壁面側に引き寄せて、リブ１５ａと、嵌合凹部１１の内壁面との間で脚本体２１の周壁を挟み着けるような支持固定構造とした。【選択図】図１０
2018189133.tif 000002
【特許請求の範囲】
【請求項１】
パイプ状部材の端部が、樹脂材料からなる支持部材の筒状をした嵌合凹部に、抜き差し可能に支持固定されるパイプ状部材の支持固定構造であって、
前記支持部材は、前記パイプ状部材の固定ねじの雄ねじ部が挿通されるねじ挿通部が前記嵌合凹部の壁面に穿設されているとともに、
前記嵌合凹部の底に、ねじ軸が前記ねじ挿通部を臨むように設けられた雌ねじを有するねじ受部が一体に設けられ、かつ、前記ねじ受部に一端が連設され、他端が前記脚嵌合凹部の筒内壁面との間に前記筒状嵌合部の壁の一部が嵌り込む隙間を形成するリブが、前記ねじ挿通部側に延びるように設けられていて、
前記パイプ状部材は、その壁面に前記雄ねじ部が挿通されるねじ通孔が穿設され、前記ねじ通孔を、前記ねじ挿通部および雌ねじのねじ孔に一致させるとともに、その周壁の一部が前記隙間に嵌り込んだ状態で、前記嵌合凹部に嵌合され、
前記固定ねじは、その頭部あるいは前記雄ねじ部に装着されたワッシャまたはナットが前記ねじ挿通部の周囲に圧接された状態になるように、前記雄ねじ部が前記ねじ挿通部およびねじ挿通孔を介して前記雌ねじに螺合されていることを特徴とするパイプ状部材の支持固定構造。
【請求項２】
ねじ受部が、雌ねじとなるナットと、嵌合凹部の底に一体成形され、前記ナットの一部が嵌り込むナット位置決め凹部を有する受部本体と、
この受部本体に固定され、前記ナットを前記ナット位置決め凹部に嵌り込んだ状態に保持するナット固定キャップを備えている請求項１に記載のパイプ状部材の支持固定構造。
【請求項３】
上記リブが、雌ねじのねじ軸を挟んで両側に平行に設けられている請求項１または請求項２に記載のパイプ状部材の支持固定構造。
【請求項４】
請求項１〜請求項３のいずれかに記載のパイプ状部材の支持固定構造を備えた組立て家具。
【請求項５】
組立て家具が、テーブル、椅子、ワゴン台、ハンガーラックからなる群より選ばれたいずれか１種である請求項４に記載の組立て家具。
【請求項６】
パイプ状部材が、脚、水平バー、支柱の少なくともいずれかである請求項４または請求項５に記載の組立て家具。
【発明の詳細な説明】
【技術分野】
【０００１】
本発明は、たとえば、椅子やテーブルの脚、あるいはハンガーラック等のバーなどのパイプ状部材の支持部材への支持固定構造、および、この支持固定構造を備え、組立て、分解を容易にできる組立て家具に関する。
【背景技術】
【０００２】
不使用時や搬送時に嵩張らず、使用時に容易に組み立てられる組立て家具として、図１２に示すような、パイプ状部材からなる脚１２０が着脱可能になったテーブル１００が提案されている（特許文献１）。
すなわち、このテーブル１００は、図１２および図１３に示すように、天板部材１１０のコーナー部（図１２、図１３では１つのコーナー部しかあらわれていない）の下面に設けられた嵌合凹部１１２に脚１２０の上端を挿し込み、天板部材１１０の上方から脚１２０の上端に設けられたねじ孔に固定ねじ１３０をねじ込むことによって、脚１２０を天板部材１１０に固定することによって組立てることができる。また、固定ねじ１３０を解除すれば、図１３に示すように脚１２０を取り外すことができる。
【先行技術文献】
【特許文献】
【０００３】
【特許文献１】特開2008-163963号公報
【発明の概要】
【発明が解決しようとする課題】
【０００４】
しかし、上記のテーブル１００の場合、脚１２０が、金属製の脚本体１２１と、脚本体１２１の上端に嵌合された樹脂製の圧入部１２２からなり、何度も脚１２０の着脱を繰り返すと、圧入部１２２が変形して、圧入部１２２と嵌合凹部１１２との間に隙間が生じ、脚１２０がガタつく場合が出てくる。
【０００５】
本発明は、上記事情に鑑みて、パイプ状部材が支持部材の嵌合凹部に何度も抜き差しされても、パイプ状部材を、ガタつきのない状態で安定して支持部材に支持固定することができるパイプ状部材の支持固定構造およびこの支持固定構造を備えた組立て家具を提供することを目的としている。
【課題を解決するための手段】
【０００６】
上記目的を達成するために、本発明にかかるパイプ状部材の支持固定構造（以下、「本発明の支持固定構造」と記す）は、パイプ状部材の端部が、樹脂材料からなる支持部材の筒状をした嵌合凹部に、抜き差し可能に支持固定されるパイプ状部材の支持固定構造であって、前記支持部材は、前記パイプ状部材の固定ねじの雄ねじ部が挿通されるねじ挿通部が前記嵌合凹部の壁面に穿設されているとともに、前記嵌合凹部の底に、ねじ軸が前記ねじ挿通部を臨むように設けられた雌ねじを有するねじ受部が一体に設けられ、かつ、前記ねじ受部に一端が連設され、他端が前記脚嵌合凹部の筒内壁面との間に前記筒状嵌合部の壁の一部が嵌り込む隙間を形成するリブが、前記ねじ挿通部側に延びるように設けられていて、前記パイプ状部材は、その壁面に前記雄ねじ部が挿通されるねじ通孔が穿設され、前記ねじ通孔を、前記ねじ挿通部および雌ねじのねじ孔に一致させるとともに、その周壁の一部が前記隙間に嵌り込んだ状態で、前記嵌合凹部に嵌合され、前記固定ねじは、その頭部あるいは前記雄ねじ部に装着されたワッシャまたはナットが前記ねじ挿通部の周囲に圧接された状態になるように、前記雄ねじ部が前記ねじ挿通部およびねじ挿通孔を介して前記雌ねじに螺合されていることを特徴としている。
【０００７】
本発明の支持固定構造において、ねじ受部は、特に限定されないが、たとえば、雌ねじとなるナットと、嵌合凹部の底に一体成形され、前記ナットの一部が嵌り込むナット位置決め凹部を有する受部本体と、この受部本体に固定され、前記ナットを前記ナット位置決め凹部に嵌り込んだ状態に保持するナット固定キャップを備えている構成とすることが好ましい。
すなわち、ナットをインサート成形することによってねじ受部を成形することが可能であるが、金型が複雑となり、金型コストがかかるが、上記構成のようにすれば、支持部材の金型コストを低減することができる。
【０００８】
本発明の支持固定構造において、リブは、１本でも構わないが、雌ねじのねじ軸を挟んで両側に平行に設けられている構成とすれば、脚をよりしっかりと固定することができる。
【０００９】
本発明にかかる組立て家具（以下、「本発明の組立て家具」と記す）は、上記本発明の支持固定構造を備えていることを特徴としている。
【００１０】
本発明の組立て家具としては、特に限定されないが、たとえば，テーブル、椅子、ワゴン台、ハンガーラックなどが挙げられる。
本発明の組立て家具において、パイプ状部材は、特に限定されないが、たとえば、脚、水平バー、支柱などとして用いられる。
【発明の効果】
【００１１】
本発明の支持固定構造は、上記のように、パイプ状部材の端部が、樹脂材料からなる支持部材の筒状をした嵌合凹部に、抜き差し可能に支持固定されるパイプ状部材の支持固定構造であって、前記支持部材は、前記パイプ状部材の固定ねじの雄ねじ部が挿通されるねじ挿通部が前記嵌合凹部の壁面に穿設されているとともに、前記嵌合凹部の底に、ねじ軸が前記ねじ挿通部を臨むように設けられた雌ねじを有するねじ受部が一体に設けられ、かつ、前記ねじ受部に一端が連設され、他端が前記脚嵌合凹部の筒内壁面との間に前記筒状嵌合部の壁の一部が嵌り込む隙間を形成するリブが、前記ねじ挿通部側に延びるように設けられていて、前記パイプ状部材は、その壁面に前記雄ねじ部が挿通されるねじ通孔が穿設され、前記ねじ通孔を、前記ねじ挿通部および雌ねじのねじ孔に一致させるとともに、その周壁の一部が前記隙間に嵌り込んだ状態で、前記嵌合凹部に嵌合され、前記固定ねじは、その頭部あるいは前記雄ねじ部に装着されたワッシャまたはナットが前記ねじ挿通部の周囲に圧接された状態になるように、前記雄ねじ部が前記ねじ挿通部およびねじ挿通孔を介して前記雌ねじに螺合されている。
【００１２】
したがって、この支持固定構造によれば、パイプ状部材の端部をパイプ状部材のねじ挿通孔が、嵌合凹部のねじ挿通部に一致するように、嵌合凹部にはめ込み、固定ねじの頭部あるいは固定ねじの雄ねじ部に装着したワッシャが、嵌合凹部の外壁面に圧接されるまで固定ねじをその雄ねじ部が固定ねじ挿通孔および固定ねじ挿通部を介して、雌ねじにねじ込むようにすることによって、パイプ状部材「を嵌合凹部に抜け止め状態に支持できる。
そして、固定ねじを取り除けば、脚を本体部材から容易に取り外すことができる。
【００１３】
また、固定ねじの締め込みによって、ねじ受部に固定ねじの頭部側に向かう引っ張り力が加わる。そして、この引っ張り力によって、ねじ受部に連設されたリブの端面がパイプ状部材の内壁面側に引き付けられて、パイプ状部材の周壁が確実に嵌合凹部の内壁面に圧接状態になるので、パイプ状部材を何度も抜き差しすることによって、嵌合凹部の内壁面が磨耗したり、変形をしたりしても、ガタつきのない、パイプ状部材の安定した支持固定状態が得られる。
【図面の簡単な説明】
【００１４】
【図１】本発明の支持固定構造を備えた組立て家具の１つの実施の形態であるテーブルを上方から見た斜視図である。
【図２】図１のテーブルを下方から見た斜視図である。
【図３】図１のテーブルの脚固定部の拡大斜視図である。
【図４】図３のテーブルの脚固定ねじを取り外した状態の斜視図である
【図５】図１のテーブルの天板部材の底面図である。
【図６】図５の天板部材の脚嵌合凹部部分の拡大底面図である。
【図７】図１のテーブルの脚部分の拡大断面図である。
【図８】図１のテーブルのナットキャップをあわわし、同図（ａ）がその平面図、同図（ｂ）が同図（ａ）のＡ−Ａ線断面図である。
【図９】図１の脚本体の正面図である。
【図１０】図１のテーブルの脚部固定部部分の縦断面図である。
【図１１】図１０の固定ねじを取り外した状態の縦断面図である。
【図１２】従来のテーブルの脚固定部分の断面図である。
【図１３】図１２のテーブルの脚を取り外した状態の断面図である。
【発明を実施するための形態】
【００１５】
以下に、本発明を、その実施の形態を参照して詳しく説明する。
図１および図２は、本発明の支持固定構造を備えた組立て家具の１つの実施の形態であるテーブルをあらわしている。
【００１６】
図１および図２に示すように、このテーブルＡは、支持部材としての天板部材１と、パイプ状部材としての４本の脚２を備えている。
天板部材１は、平面視略正方形をしていて、４つのコーナー部の下面側にそれぞれ嵌合凹部１１を備えている。
各嵌合凹部１１は、ねじ挿通部としての１つの切欠１１ａを備えている。
【００１７】
脚２は、脚本体２１と、脚キャップ２２を備えている。
脚本体２１は、ステンレス鋼管や亜鉛メッキ鋼管などの金属管で形成されていて、図４、図９〜図１１に示すように、上端側に後述する固定ねじとしての蝶ねじ３の雄ねじ部３２が挿通可能なねじ挿通孔２１ａが穿設されている。
【００１８】
脚キャップ２２は、ＡＢＳ樹脂、メラミン樹脂、ＰＰ樹脂、ＰＥ樹脂等の合成樹脂や合成樹脂エラストマー、これらの合成樹脂に木粉、炭酸カルシウムなどの充填材や、紫外線吸収剤、顔料、難燃剤、抗菌剤などの公知の添加剤を必要に応じて添加した樹脂組成物で形成されていて、脚本体２１の下端に嵌合されている。
【００１９】
天板部材１は、図６、図７、図１０、図１１に示すように、本体部材１０と、ナット１４と、ナット固定キャップ１３を備えている。
本体部材１０は、ＡＢＳ樹脂、メラミン樹脂、ＰＰ樹脂、ＰＥ樹脂等の合成樹脂や合成樹脂エラストマー、これらの合成樹脂に木粉、炭酸カルシウムなどの充填材や、紫外線吸収剤、顔料、難燃剤、抗菌剤などの公知の添加剤を必要に応じて添加した樹脂組成物を成形されたベースと、化粧板を張り合わせることによって形成され、平面視略正方形をしていて、図５に示すように、４つのコーナー部の下面側に嵌合凹部１１を備えている。
【００２０】
嵌合凹部１１は、有底の円筒状をしていて、図２〜図４、図６、図７、図１０、図１１に示すように、正方形の対角線に直交するようにねじ挿通部となる切欠１１ａが正方形の中心に向かう位置に設けられている。
嵌合凹部１１の底には、ねじ受部１６と、６本のリブ１５ａ，１５ａ，１５ｂ，１５ｂ，１５ｃ，１５ｃが設けられている。
【００２１】
ねじ受部１６は、受部本体１２と、ナット１４と、ナット固定キャップ１３を備えている。
受部本体１２は、本体部材１０の嵌合凹部１１の底中央に一体成形されていて、ナット１４の一部が嵌り込むナット受部１２ａを備えている。
ナット１４は、ナット受部１２ａに嵌り込んで、雌ねじ孔１４ａのねじ軸が切欠１１ａに一致するように配置されている。
ナット固定キャップ１３は、図８に示すように、位置決め凹部１３ａを備え、ナット１４の一部が位置決め凹部１３ａに嵌り込んだ状態で受部本体１２に接着あるいは融着によって固着されている。
【００２２】
６本のリブ１５ａ，１５ａ，１５ｂ，１５ｂ，１５ｃ，１５ｃは、ねじ受部１６の受部本体１２と同様に本体部材１０の嵌合凹部１１の底にリブの１５ａ，１５ａ，１５ｂ，１５ｂ，１５ｃ，１５ｃの一端が受部本体１２に連設され、他端と嵌合凹部１１の内壁面との間に脚本体２１の肉厚とほぼ同じ隙間Ｓが形成された状態に一体成形されている。
また、６本のリブ１５ａ，１５ａ，１５ｂ，１５ｂ，１５ｃ，１５ｃのうち、２本のリブ１５ａ，１５ａは、受部本体１２から雌ねじ孔１４ａのねじ軸を挟んでねじ軸に平行に切欠１１ａ側に向かうように設けられているとともに、底からの高さが、他の４本のリブ１５ｂ，１５ｂ，１５ｃ，１５ｃより高くなっている。
【００２３】
このテーブルＡは、上記のようになっており、ねじ挿通孔２１ａが雌ねじ孔１４ａのねじ軸および切欠１１ａに一致するように、脚２の上端を嵌合凹部１１に嵌合させたのち、蝶ねじ３の雄ねじ部３２にワッシャ４を嵌め込んだ状態で、ワッシャ４が切欠１１ａの周縁に圧接されるまで、雄ねじ部３２を切欠１１ａとねじ挿通孔２１ａを介して雌ねじ孔１４ａにねじ込むことによって脚２が本体部材１０に固定される。
このとき、ねじ受部１６には、蝶ねじ３側からの引っ張り力が作用するため、蝶ねじ３のねじ頭部３１側に撓もうとする。
【００２４】
そして、ねじ受部１６の撓みにともなって、２本のリブ１５ａ，１５ａが、蝶ねじ３の頭部３１側に引き寄せられたようになるため、リブ１５ａ，１５ａと、脚本体２１の内壁面との隙間Ｓが狭まり、リブ１５ａ，１５ａと嵌合凹部１１の内壁面との間で、脚本体２１がしっかりと挟み込まれた状態になる。
すなわち、テーブルＡの分解、組立てを頻繁に行って、嵌合凹部１１やリブ１５ａ，１５ａ，１５ｂ，１５ｂ，１５ｃ，１５ｃに歪みや磨耗が生じても、蝶ねじ３を余分に締め込むようにすれば、ねじ受部１６とリブ１５ａ，１５ａの撓みを大きくすることができ、脚本体２１の周壁がリブ１５ａ，１５ａと嵌合凹部１１の内壁面でしっかりと挟着され、安定して脚２のガタツキを防止することができる。
また、リブ１５ａ，１５ａは、その高さが、他のリブ１５ｂ，１５ｂ，１５ｃ，１５ｃに比べ高くなっているので、リブ１５ａ，１５ａの上方部分が撓みやすい。
【００２５】
本発明は、上記の実施の形態に限定されない。上記の実施の形態では、脚本体が、円形パイプであったが、角パイプでも構わない。
上記の実施の形態では、天板部材が折り畳みできないようになっているが、２つ折りに畳めるようにしてもかまわない。
【００２６】
上記の実施の形態では、天板部材が平面視正方形であったが、長方形でも構わないし、円形でも、多角形形状でも構わない。
上記の実施の形態では、脚が４本であったが、５本以上でも構わないし、３本でも構わない。
【００２７】
上記の実施の形態では、脚本体が、１本のパイプで形成されていたが、２本以上のパイプを連結するようにしても構わない。
また、上記の実施の形態では、脚本体の下端に脚キャップが装着されていたが、キャスターでも構わない。
上記の実施の形態では、ねじ挿通部が切欠であったが、長孔でも構わないし、丸孔でも構わない。
【００２８】
上記の実施の形態では、リブが６つ設けられていたが、切欠側に延びるリブのみでも構わない。
上記の実施の形態では、固定ねじが、蝶ねじになっていたが、六角ボルト、丸頭ねじ、皿ねじなどでも構わない。
【符号の説明】
【００２９】
Ａ  テーブル
１  天板部材（支持部材）
１１  嵌合凹部
１１ａ  切欠（ねじ挿通部）
１２  受部本体
１２ａ  ナット受部
１３  ナット固定キャップ
１３ａ  位置決め凹部
１４  ナット
１４ａ  雌ねじ孔
１５ａ，１５ａ，１５ｂ，１５ｂ，１５ｃ，１５ｃ  リブ
１６  ねじ受部
２  脚（パイプ状部材）
２１  脚本体
２２  脚キャップ
３  蝶ねじ（固定ねじ）
３１  ねじ頭部
３２  雄ねじ部
４  ワッシャ
Ｓ  隙間
【図１】
2018189133.tif 000003
【図２】
2018189133.tif 000004
【図３】
2018189133.tif 000005
【図４】
2018189133.tif 000006
【図５】
2018189133.tif 000007
【図６】
2018189133.tif 000008
【図７】
2018189133.tif 000009
【図８】
2018189133.tif 000010
【図９】
2018189133.tif 000011
【図１０】
2018189133.tif 000012
【図１１】
2018189133.tif 000013
【図１２】
2018189133.tif 000014
【図１３】
2018189133.tif 000015